(57)【要約】【課題】    情報漏洩防止、機密保持あるいは文書管理のために、印刷された文書や機密情報が不用意に開示されたり、漏洩することを防止できるようにした磁性タグ形成装置および方法を提供する。【解決手段】    保磁力の小さい第１の磁性体と、保磁力の大きい第２の磁性体とを重ねて形成するとともに、第２の磁性体を磁化し、第１の磁性体に対する第２の磁性体の重なり部分の大きさを少なくとも変えることにより異なる情報を有する磁性タグを形成する。【選択図】  図１
2005041189.tif 000002
【特許請求の範囲】
【請求項１】
保磁力の小さい第１の磁性体と、保磁力の大きい第２の磁性体とを重ねて形成するとともに、前記第２の磁性体を磁化し、
前記第１の磁性体に対する前記第２の磁性体の重なり部分の大きさを少なくとも変えることにより異なる情報を有する磁性タグを形成する
ことを特徴とする磁性タグ形成方法。
【請求項２】
前記第２の磁性体は、
電子写真方式若しくはインクジェット方式により形成される
ことを特徴とする請求項１記載の磁性タグ形成方法。
【請求項３】
前記第１の磁性体は、所定の形状で前記磁性タグを付与する物体に予め形成されており、
該予め形成された第１の磁性体の上に形状および量が制御された第２の磁性体を形成する
ことを特徴とする請求項１または２記載の磁性タグ形成方法。
【請求項４】
前記磁性タグを付与する物体に前記第１の磁性体を形成し、
その後該第１の磁性体の上に形状および量が制御された前記第２の磁性体を形成する
ことを特徴とする請求項１または２記載の磁性タグ形成方法。
【請求項５】
前記磁性タグを付与する物体に形状および量が制御された前記第２の磁性体を形成し、
その後該第２の磁性体の上に前記第１の磁性体を形成する
ことを特徴とする請求項１または２記載の磁性タグ形成方法。
【請求項６】
前記物体は、所定の情報がプリントされるプリント用紙である
ことを特徴とする請求項３乃至５のいずれかに記載の磁性タグ形成方法。
【請求項７】
所望の画像を形成する用紙に磁性タグを付与して出力する画像形成装置における磁性タグ形成装置において、
前記用紙に形成された第１の形状の保磁力の小さい第１の磁性体に少なくとも１部を重ねて形状および量が制御された保磁力の大きい第２の磁性体を形成する磁性体形成手段と、
前記磁性体形成手段で形成された前記第２の磁性体を磁化する磁化手段と
を具備し、
前記第１の磁性体に対する前記第２の磁性体の重なり部分の大きさに応じて異なる情報を有する磁性タグを形成することを特徴とする磁性タグ形成装置。
【請求項８】
前記画像形成装置は、
電子写真方式のプリンタであり、
前記磁性体形成手段は、
前記第２の磁性体を前記プリンタにより磁性トナーを用いた電子写真方式により形成する
ことを特徴とする請求項７記載の磁性タグ形成方法。
【請求項９】
前記画像形成装置は、
インクジェット方式のプリンタであり、
前記磁性体形成手段は、
前記第２の磁性体を前記プリンタにより磁性インクを用いたインクジェット方式により形成する
ことを特徴とする請求項７記載の磁性タグ形成方法。
【請求項１０】
前記第１の磁性体は、前記磁性タグを付与する用紙に予め形成されている
ことを特徴とする請求項７乃至９のいずれかに記載の磁性タグ形成装置。
【請求項１１】
前記用紙に前記第１の磁性体を形成する形成手段を
更に具備し、
前記形成手段は、
前記用紙に所望の画像を形成する画像形成装置の画像形成プロセスの前段に設けられる  ことを特徴とする請求項７乃至９のいずれかに記載の磁性タグ形成装置。
【請求項１２】
前記用紙に前記第１の磁性体を形成する形成手段を
更に具備し、
前記形成手段は、
前記用紙に所望の画像を形成する画像形成装置の画像形成プロセスの後段に設けられる  ことを特徴とする請求項７乃至９のいずれかに記載の磁性タグ形成装置。
【発明の詳細な説明】
【技術分野】
【０００１】
この発明は、磁性タグ形成装置および方法に関し、特に、情報漏洩防止、機密保持あるいは文書管理のために所定の情報を磁性タグで形成し、画像が形成される用紙等に付加する磁性タグ形成装置および方法に関する。
【背景技術】
【０００２】
近年、情報を記録し、読み書き可能な媒体である磁気カードに置き換わる媒体として、ＩＣカードが普及している。
【０００３】
特に最近では、非接触で情報の授受が可能な利便性の高い非接触ＩＣカードが交通や金融、サービス等の分野で利用されている。
【０００４】
この非接触ＩＣカードが広く利用される伴い、非接触ＩＣカードに記録された情報のセキュリティーをより高くするために、データを暗号化したり、光学式あるいは電子式の特殊な信号を発する素子を非接触ＩＣカードに内蔵させるものも開発されている。
【０００５】
例えば、大バルクハウゼン効果による磁化反転する磁気素子を非接触ＩＣカードに組み込み、この非接触ＩＣカードを使用する際には、交番磁界を与えて問い合わせを行い、磁気素子の磁化反転により発する固有のパルス信号を検知することにより、当該非接触ＩＣカードを認証するような方法も提案されている。
【０００６】
特許文献１には、磁性ワイヤーの長さや配置を変化させ、長さや配置に応じた磁性ワイヤーの大バルクハウゼン効果による磁化反転パルス信号の検出個数と検知時間を測定することで測定結果に対応した長さや配置を有する磁性ワイヤを特定し、情報を検知するような方法が提案されている。
【０００７】
また、特許文献２に示されるように、長さの異なる磁性薄体を用いて長さに応じた磁性薄体の磁歪振動周波数の違いを検知することで、情報を検知するような方法が提案されている。
【０００８】
【特許文献１】特開平１１−３０６２７５号公報
【特許文献２】特開２０００−０４６５０８号公報
【発明の開示】
【発明が解決しようとする課題】
【０００９】
しかしながら、上記提案の方法を情報漏洩防止、機密保持あるいは文書管理のために所定の情報を表現し、付加して印刷するような画像形成装置へ適用するためには、予め長さの異なる磁性材を準備し、磁性材を付与する印刷用紙等の媒体に貼り付けたり、漉き込んでおく必要がある。
【００１０】
また、印刷用紙毎に所定の情報の内容を変えて付与するためには、印刷用紙毎に異なった長さの磁性材や磁性材の配置を変えて貼り付けておく必要があり、このような用途の文書管理のために所定の情報を表現し、付加して印刷するような画像形成装置への対応が困難である。
【００１１】
そこで、この発明は、情報漏洩防止、機密保持あるいは文書管理のために、印刷された文書や機密情報が不用意に開示されたり、漏洩することを防止できるようにした磁性タグ形成装置および方法を提供することを目的とする。  
【課題を解決するための手段】
【００１２】
上記目的を達成するため、請求項１の発明の磁性タグ形成方法は、保磁力の小さい第１の磁性体と、保磁力の大きい第２の磁性体とを重ねて形成するとともに、前記第２の磁性体を磁化し、前記第１の磁性体に対する前記第２の磁性体の重なり部分の大きさを少なくとも変えることにより異なる情報を有する磁性タグを形成することを特徴とする。
【００１３】
また、請求項２の発明は、請求項１の発明において、前記第２の磁性体は、電子写真方式若しくはインクジェット方式により形成されることを特徴とする。
【００１４】
また、請求項３の発明は、請求項１または２の発明において、前記第１の磁性体は、所定の形状で前記磁性タグを付与する物体に予め形成されており、該予め形成された第１の磁性体の上に形状および量が制御された第２の磁性体を形成することを特徴とする。
【００１５】
また、請求項４の発明は、請求項１または２の発明において、前記磁性タグを付与する物体に前記第１の磁性体を形成し、その後該第１の磁性体の上に形状および量が制御された前記第２の磁性体を形成することを特徴とする。
【００１６】
また、請求項５の発明は、請求項１または２の発明において、前記磁性タグを付与する物体に形状および量が制御された前記第２の磁性体を形成し、その後該第２の磁性体の上に前記第１の磁性体を形成することを特徴とする。
【００１７】
また、請求項６の発明は、請求項３乃至５のいずれかの発明において、前記物体は、所定の情報がプリントされるプリント用紙であることを特徴とする。
【００１８】
また、請求項７の発明は、所望の画像を形成する用紙に磁性タグを付与して出力する画像形成装置における磁性タグ形成装置において、前記用紙に形成された第１の形状の保磁力の小さい第１の磁性体に少なくとも１部を重ねて形状および量が制御された保磁力の大きい第２の磁性体を形成する磁性体形成手段と、前記磁性体形成手段で形成された前記第２の磁性体を磁化する磁化手段とを具備し、前記第１の磁性体に対する前記第２の磁性体の重なり部分の大きさに応じて異なる情報を有する磁性タグを形成することを特徴とする。
【００１９】
また、請求項８の発明は、請求項７の発明において、前記画像形成装置は、電子写真方式のプリンタであり、前記磁性体形成手段は、前記第２の磁性体を前記プリンタにより磁性トナーを用いた電子写真方式により形成することを特徴とする。
【００２０】
また、請求項９の発明は、請求項７の発明において、前記画像形成装置は、インクジェット方式のプリンタであり、前記磁性体形成手段は、前記第２の磁性体を前記プリンタにより磁性インクを用いたインクジェット方式により形成することを特徴とする。
【００２１】
また、請求項１０の発明は、請求項７乃至９のいずれかの発明において、前記第１の磁性体は、前記磁性タグを付与する用紙に予め形成されていることを特徴とする。
【００２２】
また、請求項１１の発明は、請求項７乃至９のいずれかの発明において、前記用紙に前記第１の磁性体を形成する形成手段を更に具備し、前記形成手段は、前記用紙に所望の画像を形成する画像形成装置の画像形成プロセスの前段に設けられることを特徴とする。
【００２３】
また、請求項１２の発明は、請求項７乃至９のいずれかの発明において、前記用紙に前記第１の磁性体を形成する形成手段を更に具備し、前記形成手段は、前記用紙に所望の画像を形成する画像形成装置の画像形成プロセスの後段に設けられることを特徴とする。
【発明の効果】
【００２４】
この発明の磁性タグ形成装置および方法によれば、保磁力の小さい第１の磁性体と、保磁力の大きい第２の磁性体とを重ねて形成するとともに、前記第２の磁性体を磁化し、前記第１の磁性体に対する前記第２の磁性体の重なり部分の大きさを少なくとも変えることにより異なる情報を有する磁性タグを形成するように構成にしたので、情報漏洩防止、機密保持あるいは文書管理のための所定の情報を印刷用紙毎に変えて付加することが容易にできるという効果を奏する。
【発明を実施するための最良の形態】
【００２５】
この発明に係わる磁性タグ形成装置および方法は、情報漏洩防止、機密保持、あるいは文書管理のために、印刷用紙に固有の識別情報の磁性タグを形成付加し、磁性タグの識別情報が付加された印刷用紙と当該印刷用紙に印刷された文書等の画像情報との対応関係から文章等の画像情報が不用意に文書開示されることを防止するとともに、不用意な複写等による機密情報の漏洩を防止することを可能にするものである。
【００２６】
すなわち、この発明においては、画像情報形成装置で印刷された画像情報と、この画像情報が印刷された印刷用紙へ付加した磁性タグの識別情報との対応関係から画像情報が正当な機密文書であることが補償でき、また、この画像情報を他の印刷用紙へ複写しようとした場合には、画像情報と印刷用紙の識別情報との対応関係が保持できなくなるので、機密文書等の不用意な複写等による機密漏洩を防止することが可能となる。
【実施例１】
【００２７】
図１は、この発明に係わる磁性タグ形成装置および方法を画像形成装置である印刷装置へ適用した一実施例の要部の構成を示すブロック図である。
【００２８】
図１に示すように、印刷装置１００は、用紙サイズの異なる印刷用紙がそれぞれ蓄積された給紙トレイ５０ａ、５０ｂと、この給紙トレイ５０ａ、５０ｂに蓄積された印刷用紙を給紙する給紙ローラ５１ａ、５１ｂと、給紙された印刷用紙１０を印刷部４０へ搬入する搬入ローラ６０ａ、６０ｂと、印刷用紙１０へ文章等の画像情報および印刷用紙１０固有の識別情報を記録する識別情報磁性タグを印刷する印刷部４０と、印刷部４０によって画像情報と識別情報磁性タグが印刷された印刷出力紙を排紙する搬出ローラ６１ａ、６１ｂと、印刷出力紙の識別情報磁性タグを磁化して識別情報を記録する永久磁石３０と、印刷装置１００全体を制御する制御部２０を備えている。
【００２９】
この印刷装置１００は、予め印刷用紙１０の所定位置に所定の大きさで所定の形状、例えば矩形の形状を有する低保磁力磁性材の第１磁性タグが漉き込まれた専用紙を用いることにより印刷用紙１０固有の識別情報が付加できるように構成されている。
【００３０】
この印刷装置１００へパソコン７０を介して所望の文書等の画像情報や印刷用紙１０に付加する印刷用紙１０固有の識別情報、用紙サイズおよび用紙種別等を入力して印刷指示すると、印刷用紙１０に指示した画像情報と識別情報が印刷されて出力される。
【００３１】
例えば、制御部２０は、入力された用紙サイズに基づいて給紙トレイ５０ａ、５０ｂのいずれかを選択し、選択した給紙トレイ５０ａ、５０ｂのいずれかの給紙ローラ５１ａ、５１ｂによって印刷用紙１０を搬入ローラ６０ａ、６０ｂへ給紙する。
【００３２】
給紙された印刷用紙１０は、搬入ローラ６０ａ、６０ｂによって印刷部４０へ搬送されて印刷部４０が制御部２０から入力された画像情報と識別情報に基づいて印刷用紙１０上に画像情報を印刷するとともに、印刷用紙１０の所定位置に予め形成されている低保磁力磁性材の第１磁性タグ上に識別情報に応じた量の高保磁力磁性材の第２磁性タグを印刷する。
【００３３】
なお、用紙種別は、入力された用紙種別に基づいて、印刷部４０が印刷用紙１０の用紙サイズに応じた第１磁性タグが形成された所定位置を特定可能とする情報である。
【００３４】
画像情報および第２磁性タグが印刷された印刷用紙１０は、搬出ローラ６１ａ、６１ｂによって排紙されるとともに、永久磁石３０の磁界によって印刷用紙１０上の第１磁性タグおよび第２磁性タグが磁化される。
【００３５】
なお、ここでは、入力された識別情報に応じて高保磁力磁性材の量を制御し、制御した量の高保磁力磁性材（第２磁性タグ）を第１磁性タグ上に印刷した状態を識別情報磁性タグという。
【００３６】
この識別情報磁性タグを永久磁石３０等で磁化すると、低保磁力磁性材の第１磁性タグは低保磁力に磁化され、高保磁力磁性材の第２磁性タグは、高保磁力に磁化される。
【００３７】
磁化された第１磁性タグおよび第２磁性タグは、それぞれ保磁力が異なるので、磁化された第１磁性タグおよび第２磁性タグに外部から磁界を与えると、第１磁性タグと第２磁性タグとでは異なった特性を示す。
【００３８】
例えば、所定周波数の交番磁界を第１磁性タグおよび第２磁性タグに与えて第１磁性タグおよび第２磁性タグの磁歪振動や磁化反転等による受信信号を検出してみると、高保磁力の第２磁性タグは、低保磁力の第１磁性タグと比べて磁歪振動等の反応が低下して表れる。
【００３９】
したがって、印刷用紙１０の所定位置に予め形成されている低保磁力磁性材の第１磁性タグ上に、識別情報に応じた量が制御された高保磁力磁性材の第２磁性タグが印刷されて識別情報磁性タグが形成されることにより、磁化された識別情報磁性タグは、識別情報に応じた高保磁力部分と低保磁力部分の分量の組み合わせパターンとして形成される。
【００４０】
印刷用紙１０に付加した識別情報と画像情報とを対応つけてパソコン７０の図示せぬ管理テーブルに記憶管理することにより、文書等の画像情報と印刷用紙１０固有の識別情報との対応付けができ、この対応関係から文書等の画像情報の不用意な文書開示を防止するとともに、不用意な複写等による機密情報の漏洩を防止することが可能となる。
【００４１】
ところで、この実施例の印刷装置１００においては、印刷用紙固有の識別情報を付加するために、予め印刷用紙上の所定位置に低保磁力磁性材の第１磁性タグが形成された専用紙を用いるように構成されており、この印刷用紙に固有の識別情報を付加するためには、第１磁性タグ上の一部または全部に識別情報に応じた量を制御した高保磁力磁性材を印刷して識別情報磁性タグを形成し、この形成した識別情報磁性タグを永久磁石によって磁化することで識別情報が付与できるように構成されている。
【００４２】
図２は、第１磁性タグ（低保磁力磁性材）が予め付与された専用紙を用いて識別情報に対応した識別情報磁性タグを電子写真方式あるいはインクジェット方式等により形成した一例を示す図である。
【００４３】
図２（ａ）は、第２磁性タグを第１磁性タグ上の一部分に形成した一例を示す図であり、図２（ｂ）は、第２磁性タグを第１磁性タグ上の数箇所の一部分に形成した一例を示す図である。
【００４４】
図２（ａ）に示すように、専用紙２００は、予め専用紙２００の所定位置に所定の長さの矩形状に形成された低保磁力磁性材の第１磁性タグ２０１が漉き込まれており、入力された識別情報に応じて第１磁性タグ２０１上の一部分に高保磁力磁性材の第２磁性タグ２０２を印刷して識別情報磁性タグ２０３（破線で囲まれた部分）を形成し、永久磁石等によって磁化することにより識別情報が付与される。
【００４５】
また、図２（ｂ）に示すように、専用紙２１０は、予め専用紙２１０の所定位置に所定の長さの矩形状に形成された低保磁力磁性材の第１磁性タグ２０１が漉き込まれており、入力された識別情報に応じて第１磁性タグ２０１上の数箇所の一部分に第２磁性タグ２１１、２１２、２１３を印刷して識別情報磁性タグ２１４（破線で囲まれた部分）を形成し、永久磁石等によって磁化することにより識別情報が付与される。
【００４６】
なお、低保磁力磁性材の第１磁性タグ２０１は、例えば、ＦｅＣｏ合金等で保磁力が１エルステッド以下の磁性材であり、第２磁性タグ２０２、２１１、２１２および２１３を形成する高保磁力磁性材は、例えばＦｅＯ等で１０エルステッド以上の磁性材である。
【００４７】
このように識別情報が付与された識別情報磁性タグ２０３および２１４を所定の交番磁界の中に置くと、各識別情報磁性タグ２０３および２１４の高磁化された第２磁性タグ２０２、２１１、２１２、２１３の部分と低磁化された第１磁性タグ２０１の部分との分量によって識別情報磁性タグ２０３および２１４の磁歪振動による交番磁界の周波数特性や共振周波数および磁化反転時に発生する各識別情報磁性タグ２０３および２１４の固有パルス信号に変化が表れる。
【００４８】
そこで、この発明に係わる磁性タグ形成装置を適用した印刷装置１００では、印刷用紙に画像情報を印刷するとともに、入力された識別情報に応じて印刷用紙の第１磁性タグ上へ印刷する第２磁性タグの量を制御して、印刷用紙固有の識別情報が付加できるように構成されている。
【００４９】
図３は、図１に示した印刷装置１００の印刷部４０の要部の構成を示すブロック図である。
【００５０】
図３に示すように、印刷部４０の要部の構成は、画像処理部４１と、画像形成部４２から構成されており、画像処理部４１は、パソコン７０から制御部２０を介して入力された画像情報（例えば赤（Ｒ）、緑（Ｇ）、青（Ｂ）のｓＲＧＢ画像信号）をガンマー補正し、機器に依存しない独立な色空間に変換する色空間変換部４１１と、印刷装置１００で色を表すためのイエロー（Ｙ）、マゼンタ（Ｍ）、シアン（Ｃ）、ブラック（Ｋ）（各８ビット）の４原稿色材階調データを生成する色補正部４１３および階調補正部４１４と、ユーザが入力した識別情報に応じて印刷用紙の低保磁力磁性材の第１磁性タグ上へ印刷する第２磁性タグの高保磁力磁性材の量および印刷パターンを設定する高保磁力磁性材量変換部４１２と、画像形成部４２の露光装置４２０Ｙ〜４２０Ｂを駆動するための画像形成データを作成して、この画像形成データを画像形成部４２へ出力する描画部４１５を備えている。
【００５１】
画像形成部４２は、画像処理部４１で画像処理されて伝送された画像形成データに応じてレーザ光ＬＢによる感光体４２４Ｙ〜４２４Ｂ上への露光制御を行う露光装置４２０Ｙ〜４２０Ｂと、感光体４２４Ｙ〜４２４Ｂの表面上に形成された潜像をトナーにより現像してトナー画像Ｔを形成する現像装置４２３Ｙ〜４２３Ｋおよび第２磁性タグの高保磁力磁性材の量および印刷パターンに応じたトナー画像Ｔ’を形成する現像装置４２３Ｂと、感光体４２４Ｙ〜４２４Ｂの下部に配置され、感光体４２４Ｙ〜４２４Ｂ上に形成されたトナー画像Ｔおよびトナー画像Ｔ’を転写する中間転写体４２９、中間転写体４２９上のトナー画像Ｔおよびトナー画像Ｔ’を印刷用紙２００に定着する定着装置４３０が配置されている。
【００５２】
露光装置４２０Ｙ〜４２０Ｂは、図示しない半導体レーザを画像処理部４１から入力された画像形成データに応じてレーザ光ＬＢを出射して感光体４２４Ｙ〜４２４Ｂ上を走査露光する。
【００５３】
感光体４２４Ｙ〜４２４Ｂは図示しない駆動手段によって矢印方向に沿って所定の速度で回転駆動されており、画像形成データに応じてレーザ光ＬＢが走査露光されることによって静電潜像が形成される。
【００５４】
現像装置４２３Ｙ〜４２３Ｋには、フルカラー機であればイエロー（Ｙ）、マゼンタ（Ｍ）、シアン（Ｃ）、ブラック（Ｋ）の現像剤が導入されており、現像装置４２３Ｂには高保磁力磁性材を含むトナー（Ｂ）の現像剤が導入されている。
【００５５】
中間転写体４２９表面上には、形成する画像の色に応じて感光体４２４Ｙ〜４２４Ｋ上に形成されるイエロー（Ｙ）、マゼンタ（Ｍ）、シアン（Ｃ）、ブラック（Ｋ）の４色のすべて又はその一部のトナー画像Ｔと識別情報に応じた量および印刷パターンのトナー画像Ｔ’が１次転写ロール４２５Ｙ〜４２５Ｂによって中間転写体４２９表面上に転写される。
【００５６】
中間転写体４２９上に転写されたトナー画像Ｔおよびトナー画像Ｔ’は、２次転写ロール４２７によって印刷用紙２００上に転写され、定着装置４３０に搬送されて定着装置４３０の加熱ロール４３１および加圧ロール４３２によって加圧、加熱され印刷用紙２００上へ定着される。
【００５７】
なお、中間転写体４２９は、駆動ロール４２８および従動ロール４２６を有し、従動ロール４２６は２次転写ロール４２７に対向するロールとして配設されており、中間転写体４２９が感光体４２４Ｙ〜４２４Ｂの周速と同一の移動速度で矢印４４０の方向に沿って回動可能に支持されている。
【００５８】
この中間転写体４２９上に転写されたトナー画像ＴおよびＴ’は、所定のタイミングで印刷用紙２００上に転写される。
【００５９】
転写されたトナー画像Ｔは、印刷用紙２００の画像情報を印刷する領域に転写され、トナー画像Ｔ’は、印刷用紙２００の所定位置の第１磁性タグ（低保磁力磁性材）上に転写される。
【００６０】
画像情報および第２磁性タグ（高保磁力磁性材）が定着した印刷用紙２００は、永久磁石３０の略直下を通過するように搬送され、その際に、永久磁石３０によって第１磁性タグおよび第２磁性タグがそれぞれ磁化されて識別情報が付加され排紙される。
【００６１】
ところで、この印刷装置１００においては、入力された識別情報に応じて第２磁性タグの高保磁力磁性材の量および印刷パターンを設定し、設定した高保磁力磁性材の量および印刷パターンを予め印刷用紙の所定位置に形成されている第１磁性タグ（低保磁力磁性材）上に印刷して識別情報磁性タグを形成し、磁化することにより識別情報が付与されるように構成されている。
【００６２】
入力された識別情報に応じて識別情報磁性タグを形成し、識別情報を付与する方法は、例えば次のような方法で実現できる。
【００６３】
画像処理部４１の高保磁力磁性材量変換部４１２が入力された識別情報に応じて変換テーブルＡを参照し、変換テーブルＡに基づいて識別情報に対応した第２磁性タグの高保磁力磁性材の量および印刷パターンを設定する。
【００６４】
参照テーブルＡは、高保磁力磁性材量変換部４１２の図示せぬ記憶部に例えば図４に示すような構成で記憶されており、必要に応じて読み出し参照される。
【００６５】
変換テーブルＡは、図４に示すように、左欄には識別情報欄４１０、右欄には左欄の識別情報欄４１０の各値に対応した高保磁力磁性材の量および印刷パターンを示す高保磁力磁性材印刷パターン欄４２０から構成されており、識別情報欄４１０には、「０」〜「９」値のセキュリティーレベルを示す数値が記憶されている。
【００６６】
例えば、最も機密性が高いセキュリティーレベルを「９」値、最も機密性が低いセキュリティーレベルを「０」値として印刷する文書等の画像情報の機密性に応じたセキュリティーレベルの値を識別情報として印刷用紙へ付加する。
【００６７】
入力された識別情報が「０」の場合は、変換テーブルＡの識別情報欄４１０の「０」値を参照し、参照した識別情報欄４１０の「０」値に対応した高保磁力磁性材印刷パターン欄４２０の印刷パターン４２１を特定する。
【００６８】
この特定した印刷パターン４２１は、印刷用紙の所定位置に形成された低保磁力磁性材の第１磁性タグ上に高保磁力磁性材の第２磁性タグを印刷しない例を示しており、印刷パターン４２１の矩形は、印刷用紙の所定位置に形成されている第１磁性タグ（低保磁力磁性材）の矩形の形状図形を示している。
【００６９】
また、入力された識別情報が「３」の場合は、変換テーブルＡの識別情報欄４１０の「３」値を参照し、参照した識別情報欄４１０の「３」値に対応した高保磁力磁性材印刷パターン欄４２０の印刷パターン４２２を特定する。
【００７０】
この特定した印刷パターン４２２は、印刷用紙の所定位置に形成された第１磁性タグ（低保磁力磁性材）上に第２磁性タグ（高保磁力磁性材）を半分程度（黒塗り矩形部分）印刷するような例を示している。
【００７１】
高保磁力磁性材量変換部４１２は、入力された用紙種別情報に基づいて印刷用紙の第１磁性タグ（低保磁力磁性材）の所定位置を特定し、第１磁性タグ（低保磁力磁性材）の矩形の形状図形情報を生成するとともに、例えばセキュリティーレベル「３」の印刷パターン４２２を特定した場合は、第１磁性タグ（低保磁力磁性材）の矩形の形状図形情報に対する第２磁性タグ（高保磁力磁性材）を印刷する量（印刷パターン４２２の黒塗り矩形部分）の図形情報を生成する。
【００７２】
生成された印刷パターン４２２の図形情報を描画部４１５へ入力することにより  入力された識別情報に応じた第２磁性タグ（高保磁力磁性材）の量および印刷パターンが予め印刷用紙の所定位置に形成されている第１磁性タグ（低保磁力磁性材）上に印刷されて識別情報磁性タグが形成される。
【００７３】
印刷部４０で印刷された識別情報磁性タグは、永久磁石３０によって磁化され、入力された識別情報が印刷用紙上に付与される。
【００７４】
図５は、印刷用紙２００の第１磁性タグ（低保磁力磁性材）上に識別情報に応じた量の第２磁性タグ（高保磁力磁性材）を印刷して識別情報磁性タグを形成し、印刷用紙２００へ識別情報を付与する過程を示す図である。
【００７５】
図５を参照しながら入力された識別情報に応じた識別情報磁性タグ２０３を形成し、識別情報を付与する過程を簡単に説明する。
【００７６】
図５（ａ）に示すように、搬入ローラ６０ａ、６０ｂによって印刷部４０へ印刷用紙２００が搬送されると印刷部４０が入力された画像情報と識別情報に応じた第２磁性タグ（高保磁力磁性材）２０２の量および印刷パターンのそれぞれのトナー画像Ｔ（画像情報）およびＴ’（第２磁性タグ）を中間転写体４２９を介して印刷用紙２００へ転写する。
【００７７】
印刷用紙２００へ転写されたトナー画像ＴおよびＴ’は、図５（ｂ）に示すように、定着装置４３０によってトナー画像Ｔは印刷用紙２００の図示せぬ画像情報領域に定着され、第２磁性タグ（高保磁力磁性材）２０２のトナー画像Ｔ’は、印刷用紙２００の第１磁性タグ（低保磁力磁性材）２０１上に定着され識別情報磁性タグ２０３が形成され、搬出ローラ６１ａ、６１ｂによって排紙されるとともに、図５（ｃ）に示すように永久磁石３０によって識別情報磁性タグ２０３が磁化されて識別情報が付与される。
【００７８】
このように識別情報に応じて印刷用紙２００の第１磁性タグ（低保磁力磁性材）上に形成される第２磁性タグ（高保磁力磁性材）の量および印刷パターンが制御され、磁化されることにより高磁化された部分（第２磁性タグ）と低磁化された部分（第１磁性タグ）の分量の組み合わせに対応した識別情報を付与することができる。  
このように識別情報を付与した印刷用紙を例えば、所定の交番磁界の中に置いてみると、識別情報磁性タグの高保磁力に磁化された第２磁性タグと低保磁力に磁化された第１磁性タグの分量に応じた交番磁界の周波数特性や共振周波数および磁化反転時のパルス信号特性を検出することができる。
【００７９】
例えば、識別情報に応じて磁化された識別情報磁性タグを所定の交番磁界の中に置き、識別情報磁性タグの磁歪振動による交番磁界の周波数特性、共振周波数および磁化反転時の固有パルス信号をそれぞれ検出可能な検出装置を用いて検出すると、例えば図６、図７および図８に示すような各特性を示すような検出信号が検出できる。
【００８０】
図６は識別情報磁性タグの高保磁力に磁化された第２磁性タグと低保磁力に磁化された第１磁性タグの分量に応じた交番磁界の周波数特性の一例を示す図であり、図７は識別情報磁性タグの共振周波数の一例を示す図、図８は識別情報磁性タグの磁化反転時の固有パルス信号の一例を示す図である。
【００８１】
図６において、例えば  図６（ａ）に示すように、検知装置を用いて第１磁性タグ（低保磁力磁性材）６０１上に第２磁性タグ（高保磁力磁性材）を形成していない識別情報磁性タグ６０２を形成し、磁化した印刷用紙６００に対して所定の交番磁界を与え、与えた交番磁界の受信信号を検出してみると、識別情報磁性タグ６０２の磁歪振動によって交番磁界の受信信号が例えば周波数特性６３０のように複数のパルス信号が検出される。
【００８２】
前述と同様に検知装置を用いて図６（ｂ）および図６（ｃ）に示すように、識別情報磁性タグ６１２および６２２を形成し、磁化した印刷用紙６１０および６２０のそれぞれに所定の交番磁界を与え、与えた交番磁界の受信信号を検出してみると、識別情報磁性タグ６１２および６２２の各磁歪振動によって交番磁界の受信信号は、例えば識別情報磁性タグ６１２の場合が図６（ｂ）に示すように周波数特性６４０のような複数のパルス信号が検出され、識別情報磁性タグ６２２の場合が図６（ｃ）に示すように周波数特性６５０のようなパルス信号が検出される。
【００８３】
図７において、図７（ａ）に示すように、検知装置を用いて第１磁性タグ（低保磁力磁性材）７０１上に第２磁性タグ（高保磁力磁性材）を形成していない識別情報磁性タグ７０２を形成し、磁化した印刷用紙７００に対して所定の交番磁界を与え、識別情報磁性タグ７０２が磁歪振動する共振周波数を検出してみると、例えばパルス信号７３０に示すような識別情報磁性タグ７０２の固有共振周波数が検出される。
【００８４】
前述と同様に検知装置を用いて図７（ｂ）および図７（ｃ）に示すように識別情報磁性タグ７１２および７２２を形成し、磁化した印刷用紙７１０および７２０のそれぞれに所定の交番磁界を与え、識別情報磁性タグ７１２および７２２が磁歪振動する共振周波数を検出してみると、識別情報磁性タグ７１２の場合は例えばパルス信号７４０に示すような識別情報磁性タグ７１２の固有共振周波数が検出され、識別情報磁性タグ７２２の場合は例えばパルス信号７５０に示すような識別情報磁性タグ７２２の固有共振周波数が検出される。  
図８において、図８（ａ）に示すように、検知装置を用いて第１磁性タグ（低保磁力磁性材）８０１上に第２磁性タグ（高保磁力磁性材）を形成していない識別情報磁性タグ８０２を形成し、磁化した印刷用紙８００に対して所定の交番磁界を与え、識別情報磁性タグ８０２が磁化反転する時のパルス信号を検出してみると、例えば時間ｔ３の磁界強度Ｈ３の時に磁化反転するような識別情報磁性タグ８０２固有のパルス信号８３０が検出される。
【００８５】
前述と同様に検知装置を用いて図８（ｂ）および図８（ｃ）に示すような識別情報磁性タグ８１２および８２２が形成された印刷用紙８１０および８２０のそれぞれに所定の交番磁界を与え、識別情報磁性タグ８１２および８２２が磁化反転する時のパルス信号を検出してみると、例えば時間ｔ２の磁界強度Ｈ２の時に磁化反転するような識別情報磁性タグ８１２固有のパルス信号８４０が検出され、例えば時間ｔ１の磁界強度Ｈ１の時に磁化反転するような識別情報磁性タグ８２２固有のパルス信号８５０が検出される。
【００８６】
このように識別情報に応じて第２磁性タグ（高保磁力磁性材）の量を制御し、第１磁性タグ（低保磁力磁性材）上に印刷して識別情報磁性タグを形成し、磁化した識別情報磁性タグに対して所定の交番磁界を与え、識別情報磁性タグの磁歪振動による交番磁界の周波数特性や共振周波数および磁化反転時のパルス信号特性を検出することにより識別情報を読み取ることができる。
【００８７】
図９は、図１に示したこの発明に係わる磁性タグ形成装置および方法を適用した印刷装置１００における磁性タグ形成方法を示すフローチャートである。
【００８８】
図９を参照しながら、この発明に係わる磁性タグ形成方法について説明する。
【００８９】
まず、ユーザは、印刷装置１００と接続されたパソコン７０を介して印刷装置１００へ印刷する文書等の画像情報と、この画像情報を印刷する印刷用紙１０を識別可能とする固有の識別情報、用紙サイズおよび用紙種別を入力し、印刷指示する（ステップ９００）。
【００９０】
識別情報は、例えば印刷する画像情報のセキュリティーレベルの値やユーザの識別番号、パスワード等を入力する。
【００９１】
入力された画像情報や識別情報、用紙サイズおよび用紙種別等の各信号は、印刷装置１００の制御部２０へ入力され、まず、入力された用紙サイズに基づいて制御部２０が給紙トレイ５０ａ、５０ｂのいずれかを選択し、選択した給紙トレイ５０ａ、５０ｂのいずれかの給紙ローラ５１ａ、５１ｂによって印刷用紙１０を搬入ローラ６０ａ、６０ｂへ給紙する（ステップ９０１）。
【００９２】
給紙された印刷用紙１０は、搬入ローラ６０ａ、６０ｂによって印刷部４０へ搬送される。
【００９３】
印刷部４０は、入力された識別情報に基づいて印刷用紙１０の第１磁性タグ上に印刷する第２磁性タグの量および印刷パターンを設定し（ステップ９０２）、入力された用紙種別に基づいて設定した第２磁性タグの図形情報を生成する（ステップ９０３）。
【００９４】
そして生成された第２磁性タグの図形情報および入力された画像情報を印刷用紙１０へ印刷して印刷部４０から排紙する（ステップ９０４）。
【００９５】
印刷部４０で識別情報に応じた第２磁性タグを第１磁性タグ上に印刷した印刷用紙１０を搬出ローラ６１ａ、６１ｂによって排紙するとともに、永久磁石３０によって第２磁性タグおよび第１磁性タグを磁化して識別情報を付与する（ステップ９０５）。
【００９６】
印刷用紙１０へ付与した識別情報と画像情報とを対応つけてパソコン７０の図示せぬ管理テーブルに記憶管理する（ステップ９０６）。
【実施例２】
【００９７】
図１０は、この発明に係わる磁性タグ形成装置および方法を画像形成装置である印刷装置へ適用した他の実施例の要部の構成を示すブロック図である。
【００９８】
この実施例は、この発明に係わる磁性タグ形成装置および方法を適用した印刷装置１１０において、印刷装置１１０内に低保磁力磁性材の第１磁性タグを形成する第１磁性タグ形成装置を配設し、この第１磁性タグ形成装置によって低保磁力磁性材の第１磁性タグを普通紙に形成するようにして、予め第１磁性タグ（低保磁力磁性材）が形成付与された専用紙を用いなくても画像情報を印刷した印刷用紙に固有の識別情報の識別情報磁性タグが形成できるように構成したものである。
【００９９】
図１０に示すように、印刷装置１１０は、用紙サイズの異なる印刷用紙がそれぞれ蓄積された給紙トレイ５０ａ、５０ｂと、この給紙トレイ５０ａ、５０ｂに蓄積された印刷用紙を給紙する給紙ローラ５１ａ、５１ｂと、給紙された印刷用紙１０を印刷部４０へ搬入する搬入ローラ６０ａ、６０ｂと、搬入ローラ６０ａ、６０ｂと印刷部４０との間に配置され、搬入された印刷用紙１０上の所定位置へ低保磁力磁性材の第１磁性タグを形成する第１磁性タグ形成装置８０と、印刷用紙１０へ文章等の画像情報および印刷用紙１０固有の識別情報を記録する識別情報磁性タグを印刷する印刷部４０と、印刷部４０によって画像情報と識別情報磁性タグが印刷された印刷出力紙を排紙する搬出ローラ６１ａ、６１ｂと、印刷出力紙の識別情報磁性タグを磁化して識別情報を記録する永久磁石３０と、印刷装置１００全体を制御する制御部２１を備えている。
【０１００】
第１磁性タグ形成装置８０が印刷用紙１１上に形成する低保磁力磁性材の第１磁性タグは、所定の大きさで例えば矩形の形状で形成される。
【０１０１】
この印刷装置１１０へパソコン７０を介して所望の文書等の画像情報や印刷用紙１０に付加する印刷用紙１０固有の識別情報および用紙サイズ等を入力して印刷指示すると、印刷用紙１０に指示した画像情報と識別情報が印刷されて出力される。
【０１０２】
例えば、制御部２１は、入力された用紙サイズに基づいて給紙トレイ５０ａ、５０ｂのいずれかを選択し、選択した給紙トレイ５０ａ、５０ｂのいずれかの給紙ローラ５１ａ、５１ｂによって印刷用紙１１を搬入ローラ６０ａ、６０ｂへ給紙する。
【０１０３】
給紙された印刷用紙１１は、搬入ローラ６０ａ、６０ｂによって印刷部４０へ搬送される途上において、第１磁性タグ形成装置８０によって印刷用紙１１上の所定位置に低保磁力磁性材の第１磁性タグが形成される。
【０１０４】
第１磁性タグが形成された印刷用紙１１は、印刷部４０へ搬送されて印刷部４０が制御部２０から入力された画像情報と識別情報に基づいて印刷用紙１１上に画像情報を印刷するとともに、印刷用紙１１の所定位置に形成された低保磁力磁性材の第１磁性タグ上に識別情報に応じた量の高保磁力磁性材の第２磁性タグを印刷して識別情報磁性タグを形成する。
【０１０５】
画像情報、識別情報磁性タグが印刷された印刷用紙１１は、永久磁石３０によって識別情報磁性タグが磁化され識別情報が付与され、印刷用紙１１へ付与した識別情報と画像情報とを対応つけてパソコン７０の図示せぬ管理テーブルに記憶管理するように構成されている。
【０１０６】
このような構成とすることにより、印刷用紙１１に付加した識別情報と画像情報とを対応つけてパソコン７０の図示せぬ管理テーブルに記憶管理することにより、文書等の画像情報と印刷用紙１１固有の識別情報との対応付けができ、この対応関係から文書等の画像情報の不用意な文書開示を防止するとともに、不用意な複写等による機密情報の漏洩を防止することが可能となる。
【０１０７】
図１１および図１２は、第１磁性タグ形成装置８０の要部の構成を示すブロック図である。
【０１０８】
図１１は、第１磁性タグ形成装置８０の要部の構成を示した平面図であり、図１２は図１１に示した搬送機構部の構造を概略的に示した側面図である。
【０１０９】
図１１および図１２に示すように、第１磁性タグ形成装置８０は、印刷用紙１１を搬送する搬送機構部８２０と、搬送機構部８２０の駆動制御、低保磁力磁性材の第１磁性タグを印刷用紙１１上の所定位置に形成する制御等を行う制御回路部８１０を備えている。
【０１１０】
図１１および図１２において、一対の用紙送りローラ８２５は、搬入ローラ６０ａ、６０ｂの対向の位置に設けられ、搬入された印刷用紙１１を搬送機構部８２０の内部に取り込み、取り込んだ印刷用紙１１を一対の用紙搬出ローラ８２６が第１磁性タグ形成装置８０の外部へ搬出し、印刷部４０へ搬送する。
【０１１１】
各ローラ８２５、８２６の間の発熱抵抗体８２２の対向する位置には、ガイド用ローラ８２７が設置されており、搬入ローラ６０ａ、６０ｂから搬送された印刷用紙１１は、一対の用紙送りローラ８２５、発熱抵抗体８２２とガイド用ローラ８２７との間、一対の用紙搬出ローラ８２６を通過して搬送機構部８２０から搬出され印刷部４０へ搬送される。
【０１１２】
なお、図１１ではガイド用ローラ８２７を省略し、印刷用紙１１の搬送経路が分かりやすいように、一対の用紙送りローラ８２５から用紙搬出ローラ８２６まで１枚の印刷用紙１１で図示したが、印刷用紙１１と搬送機構部８２０との大きさの関係は、この図によって限定されるものではない。
【０１１３】
搬送機構部８２０は、例えばＦｅＣｏ合金等で保磁力が１エルステッド以下の低保磁力磁性材を含む熱転写シート８２１が十分に巻き付けられたシート送りローラ８２３と、熱転写シート８２１の端部に取り付けられたシート巻取ローラ８２４を備えている。
【０１１４】
熱転写シート８２１は、制御回路部８１０による駆動制御によりシート送りローラ８２３から送り出され、シート巻取ローラ８２４により巻き取られる。
【０１１５】
その間、熱転写シート８２１は、制御回路部８１０による制御に基づいて発熱抵抗体８２２とガイド用ローラ８２７との間を印刷用紙１１と共に通過するように構成されている。
【０１１６】
シート送りローラ８２３及びシート巻取ローラ８２４は、それぞれ軸止されており、軸方向に搬送機構部８２０の内部を摺動可能に取り付けられている。
【０１１７】
また、発熱抵抗体８２２は、各ローラ８２３、８２４の軸方向に搬送機構部８２０の内部を摺動可能に取り付けられており、シート送りローラ８２３、発熱抵抗体８２２及びシート巻取ローラ８２４が連動することで、熱転写シート８２１に含まれる低保磁力磁性材が印刷用紙１１上の所定位置に熱転写される。
【０１１８】
第１磁性タグ形成装置８０の制御回路部８１０は、搬送制御部８１２及び第１磁性タグ形成部８１３を備えている。
【０１１９】
搬送制御部８１２は、搬送機構部８２０の駆動制御を行うことで搬入ローラ６０ａ、６０ｂから搬送された印刷用紙１１を搬送する。
【０１２０】
第１磁性タグ形成部８１３は、画像情報を参照に低保磁力磁性材の転写位置に搬送制御部８１２と連係してシート送りローラ８２３及びシート巻取ローラ８２４の動作を制御する。
【０１２１】
そして熱転写シート８２１の搬送制御を行いながら、発熱抵抗体８２２を発熱させて熱転写シート８２１の一部を溶解して印刷用紙１１上に低保磁力磁性材の第１磁性タグを熱転写する。
【０１２２】
このようにして印刷用紙１１上の所定位置に低保磁力磁性材の第１磁性タグを形成する。
【０１２３】
図１３は、シート送りローラ８２３に巻き付けられた状態の熱転写シート８２１の構成を示す図である。
【０１２４】
図１３（ａ）は、熱転写シート８２１の基本構成を示す図であり、図１３（ｂ）は、熱転写シート８２１の構成を拡大して示した図である。
【０１２５】
図１３（ａ）及び（ｂ）に示すように、熱転写シート８２１は、シート基板８４０と、熱溶融材で構成された熱溶融層８４１と、第１磁性タグを形成する低保磁力磁性材８３０と、粘着材で構成された粘着層８４２の３層で構成されている。
【０１２６】
熱溶融層８４１及び粘着層８４２は、用紙搬送方向と直交する方向に所定間隔に分割されている。
【０１２７】
印刷用紙１１へ熱転写シート８２１を転写する場合は、発熱抵抗体８２２により行われるので、発熱抵抗体８２２の幅に合わせて予め熱転写シート８２１を分割しておくことが望ましい。
【０１２８】
なお、この実施例においては、図１３に示した低保磁力磁性材８３０の第１磁性タグは、全て同じ方向を向き、また同じ長さであるものとする。
【０１２９】
また、シート基板８４０としてはアセトートフィルムを、また粘着材としてはアクリル樹脂系粘着材を用いることができる。
【０１３０】
この熱転写シート８２１の低保磁力磁性材８３０を印刷用紙１１に熱転写する基本的な処理について簡単に説明する。
【０１３１】
図１４は、熱転写シート８２１の低保磁力磁性材８３０を用紙１１に熱転写する基本的な処理を説明する図であり、図１４を参照しながら説明する。
【０１３２】
第１磁性タグ形成装置８０の搬送機構部８２０において、用紙送りローラ８２５より印刷用紙１１が発熱抵抗体８２２の位置まで搬送されると、第１磁性タグ形成部８１３が印刷用紙１１上の低保磁力磁性材８３０の第１磁性タグを形成する所定位置へ搬送制御部８１２と連携して、シート送りローラ８２３およびシート巻取ローラ８２４の動作を制御する。
【０１３３】
印刷用紙１１上の低保磁力磁性材８３０の第１磁性タグを形成する所定位置で発熱抵抗体８２２を発熱すると、図１４（ａ）に示すような発熱抵抗体８２２の位置にあった熱溶融層８４１は溶融し、その溶融した熱溶融層８４１に対応する位置の粘着層８４２が、はがれ、並行して搬送している用紙１１上に粘着する。
【０１３４】
なお、発熱抵抗体８２２の発熱時点においては、熱転写シート８２１と印刷用紙１１の各搬送速度が同速に制御されている。
【０１３５】
このようにして図１４（ｂ）に示されるような印刷用紙１１上の所定位置へ低保磁力磁性材８３０の第１磁性タグが形成される。
【０１３６】
このように印刷用紙１１の所定位置に低保磁力磁性材８３０の第１磁性タグが形成された印刷用紙１１は、印刷部４０へ搬送され、印刷部４０において、入力された画像情報および識別情報に応じた量の高保磁力磁性材の第２磁性タグが低保磁力磁性材８３０の第１磁性タグ上に印刷されて識別情報磁性タグが形成され、搬出ローラ６１ａ、６１ｂによって排紙されるとともに、永久磁石３０によって識別情報磁性タグの第２磁性タグ（高保磁力磁性材）および第１磁性タグ（低保磁力磁性材）が磁化されて識別情報が付与される。
【０１３７】
入力された識別情報に応じた量を制御した第２磁性タグ（高保磁力磁性材）を低保磁力磁性材８３０の第１磁性タグ上に形成する方法は、実施例１で示した場合と同様なので詳細説明は省略する。
【０１３８】
ここで、この発明に係わる磁性タグ形成装置および方法を適用した印刷装置１１０における磁性タグ形成方法について説明する。
【０１３９】
図１５は、印刷装置１１０における磁性タグ形成方法を示すフローチャートであり、図１５を参照しながら、印刷装置１１０の磁性タグ形成方法について説明する。
【０１４０】
まず、ユーザは、印刷装置１１０と接続されたパソコン７０を介して印刷装置１１０へ印刷する文書等の画像情報と、この画像情報を印刷する印刷用紙１０を識別可能とする固有の識別情報および用紙サイズを入力し、印刷指示する（ステップ１５００）。
【０１４１】
識別情報は、例えば印刷する画像情報のセキュリティーレベルの値やユーザの識別番号、パスワード等を入力する。
【０１４２】
入力された画像情報や識別情報および用紙サイズ等の各信号は、印刷装置１１０の制御部２１へ入力され、まず、入力された用紙サイズに基づいて制御部２１が給紙トレイ５０ａ、５０ｂのいずれかを選択し、選択した給紙トレイ５０ａ、５０ｂのいずれかの給紙ローラ５１ａ、５１ｂによって印刷用紙１１が搬入ローラ６０ａ、６０ｂへ給紙され第１磁性タグ形成装置へ給紙される（ステップ１５０１）。
【０１４３】
第１磁性タグ形成装置は、給紙された印刷用紙１１上の所定位置へ低保磁力磁性材の熱転写シートを熱転写して所定の大きさと形状を有する第１磁性タグを形成する（ステップ１５０２）。
【０１４４】
第１磁性タグが形成された印刷用紙１１は、印刷部４０へ搬送され（ステップ１５０３）、印刷部４０が入力された識別情報に基づいて印刷用紙１１の第１磁性タグ上に印刷する第２磁性タグの量および印刷パターンを設定し（ステップ１５０４）、形成した第１磁性タグの形成位置と大きさおよび形状の情報に基づいて設定した第２磁性タグの図形情報を生成する（ステップ１５０５）。
【０１４５】
そして生成された第２磁性タグの図形情報および入力された画像情報を印刷用紙１１へ印刷して印刷部４０から排紙する（ステップ１５０６）。
【０１４６】
印刷部４０で識別情報に応じた量の第２磁性タグを第１磁性タグ上に印刷して識別情報磁性タグを形成し、画像情報および識別情報磁性タグが印刷された印刷用紙１１は、搬出ローラ６１ａ、６１ｂによって排紙されるとともに、永久磁石３０によって識別情報磁性タグが磁化されて識別情報が付与される（ステップ１５０７）。
【０１４７】
印刷用紙１１へ付与した識別情報と画像情報とを対応つけてパソコン７０の図示せぬ管理テーブルに記憶管理する（ステップ１５０８）。
【実施例３】
【０１４８】
図１６は、この発明に係わる磁性タグ形成装置および方法を画像形成装置である印刷装置へ適用した更に他の実施例の要部の構成を示すブロック図である。
【０１４９】
この実施例は、この発明に係わる磁性タグ形成装置および方法を適用した印刷装置１２０において、印刷装置１１０内に低保磁力磁性材の第１磁性タグを形成する第１磁性タグ形成装置を配設し、印刷部において印刷用紙上に画像情報および高保磁力磁性材の第２磁性タグを印刷した後に、印刷した高保磁力磁性材の第２磁性タグ上に所定の長さと形状を有する低保磁力磁性材の第１磁性タグを形成して、予め第１磁性タグ（低保磁力磁性材）が形成付与された専用紙を用いなくても画像情報を印刷した印刷用紙固有の識別情報が形成できるように構成したものである。
【０１５０】
図１６に示すように、印刷装置１２０は、用紙サイズの異なる印刷用紙がそれぞれ蓄積された給紙トレイ５０ａ、５０ｂと、この給紙トレイ５０ａ、５０ｂに蓄積された印刷用紙を給紙する給紙ローラ５１ａ、５１ｂと、印刷用紙１０へ文章等の画像情報および印刷用紙１０固有の識別情報を記録するための高保磁力磁性材の第２磁性タグを印刷する印刷部４０と、印刷部４０において印刷された第２磁性タグ上に所定の大きさと形状を有する低保磁力磁性材の第１磁性タグを形成する第１磁性タグ形成装置８０と、印刷出力紙の識別情報磁性タグを磁化して識別情報を記録する永久磁石３０と、印刷装置１００全体を制御する制御部２１を備えている。
【０１５１】
この印刷装置１２０へパソコン７０を介して所望の文書等の画像情報や印刷用紙１２に付加する印刷用紙１２固有の識別情報および用紙サイズ等を入力して印刷指示すると、印刷用紙１２に指示した画像情報と識別情報が印刷されて出力される。
【０１５２】
例えば、制御部２２は、入力された用紙サイズに基づいて給紙トレイ５０ａ、５０ｂのいずれかを選択し、選択した給紙トレイ５０ａ、５０ｂのいずれかの給紙ローラ５１ａ、５１ｂによって印刷用紙１１を搬入ローラ６０ａ、６０ｂへ給紙する。
【０１５３】
給紙された印刷用紙１２は、搬入ローラ６０ａ、６０ｂによって印刷部４０へ搬送されて印刷部４０が制御部２２から入力された画像情報と識別情報に基づいて印刷用紙１２上に画像情報を印刷するとともに、入力された識別情報に応じた量が制御された高保磁力磁性材の第２磁性タグを印刷用紙１２上の所定位置に印刷する。
【０１５４】
画像情報および第２磁性タグが印刷された印刷用紙１２は、第１磁性タグ形成装置８０へ搬送され、第１磁性タグ形成装置８０が印刷用紙１２に印刷された第２磁性タグ上に所定の大きさと形状を有する低保磁力磁性材の第１磁性タグを形成して識別情報磁性タグを形成する。
【０１５５】
画像情報および識別情報磁性タグが形成された印刷用紙１２は、永久磁石３０によって磁化され識別情報が付加され、印刷用紙１２へ付加した識別情報と画像情報とを対応つけてパソコン７０の図示せぬ管理テーブルに記憶管理するように構成されている。
【０１５６】
このような構成とすることにより、印刷用紙１２に付加した識別情報と画像情報とを対応つけてパソコン７０の図示せぬ管理テーブルに記憶管理することにより、文書等の画像情報と印刷用紙１１固有の識別情報との対応付けができ、この対応関係から文書等の画像情報の不用意な文書開示を防止するとともに、不用意な複写等による機密情報の漏洩を防止することが可能となる。
【０１５７】
入力された識別情報に応じた量の第２磁性タグ（高保磁力磁性材）を低保磁力磁性材８３０の第１磁性タグ上に形成する方法は、実施例１および実施例２で示した場合と同様なので詳細説明は省略する。
【０１５８】
この発明に係わる磁性タグ形成装置および方法を適用した印刷装置１２０における磁性タグ形成方法について説明する。
【０１５９】
図１７は、印刷装置１２０における磁性タグ形成方法を示すフローチャートであり、図１７を参照しながら、印刷装置１２０の磁性タグ形成方法について説明する。
【０１６０】
まず、ユーザは、印刷装置１２０と接続されたパソコン７０を介して印刷装置１２０へ印刷する文書等の画像情報と、この画像情報を印刷する印刷用紙１２を識別可能とする固有の識別情報および用紙サイズを入力し、印刷指示する（ステップ１７００）。
【０１６１】
識別情報は、例えば印刷する画像情報のセキュリティーレベルの値やユーザの識別番号、パスワード等を入力する。
【０１６２】
入力された画像情報や識別情報および用紙サイズ等の各信号は、印刷装置１１０の制御部２１へ入力され、まず、入力された用紙サイズに基づいて制御部２２が給紙トレイ５０ａ、５０ｂのいずれかを選択し、選択した給紙トレイ５０ａ、５０ｂのいずれかの給紙ローラ５１ａ、５１ｂによって印刷用紙１２が搬入ローラ６０ａ、６０ｂへ給紙され第１磁性タグ形成装置へ給紙される（ステップ１７０１）。
【０１６３】
給紙された印刷用紙１２は、搬入ローラ６０ａ、６０ｂによって印刷部４０へ搬送される（ステップ１７０１）。
【０１６４】
印刷用紙１２が印刷部へ搬送されると、印刷部４０が入力された識別情報に基づいて高保磁力磁性材の第２磁性タグの量および印刷パターンを設定し、設定した印刷パターンに基づいて印刷する第２磁性タグの図形情報を生成する（ステップ１７０２）。
【０１６５】
そして画像情報および第２磁性タグを印刷用紙１２へ印刷する（ステップ１７０３）。  画像情報および第２磁性タグが印刷された印刷出力紙は第１磁性タグ形成部８０へ搬送され（ステップ１７０４）、第１磁性タグ形成部８０が低保磁力磁性材の熱転写シートを第２磁性タグ上に重なるように所定の大きさと形状に熱転写して識別情報磁性タグを形成する（ステップ１７０５）。
【０１６６】
印刷部によって画像情報と第２磁性タグが印刷され、第１磁性タグ形成装置８０によって識別情報磁性タグが形成された印刷用紙１２は、永久磁石３０の略直下を通過するように搬送され、永久磁石３０によって識別情報磁性タグが磁化されて識別情報が付加される（ステップ１５０６）。
【０１６７】
印刷用紙１２へ形成した識別情報と画像情報とを対応つけてパソコン７０の図示せぬ管理テーブルに記憶管理する（ステップ１７０７）。
【図面の簡単な説明】
【０１６８】
【図１】この発明に係わる磁性タグ形成装置および方法を印刷装置へ適用した一実施例（実施例１）の要部の構成を示すブロック図である。
【図２】第１磁性タグ（低保磁力磁性材）上に第２磁性タグ（高保磁力磁性材）を形成した識別情報磁性タグの一例を示す図である。
【図３】図１に示した印刷装置１００の印刷部４０の要部の構成を示すブロック図である。
【図４】変換テーブルＡの一例を示す構成図である。
【図５】第１磁性タグ（低保磁力磁性材）上に第２磁性タグ（高保磁力磁性材）を印刷して識別情報磁性タグを形成する過程を示す図である。
【図６】各識別情報磁性タグの磁歪振動による交番磁界の周波数特性の一例を示す図である。
【図７】各識別情報磁性タグの磁歪振動による共振周波数の一例を示す図である。
【図８】各識別情報磁性タグの磁化反転時の固有パルス信号の一例を示す図である。
【図９】図１に示した印刷装置１００における磁性タグ形成方法を示すフローチャートである。
【図１０】この発明に係わる磁性タグ形成装置および方法を印刷装置へ適用した他の実施例（実施例２）の要部の構成を示すブロック図である。
【図１１】第１磁性タグ形成装置８０の要部の構成を示すブロック図（平面図）である。
【図１２】第１磁性タグ形成装置８０の要部の構成を示すブロック図（側面図）である。
【図１３】低保磁力磁性材の熱転写シート８２１の構成を示す図である。
【図１４】熱転写シート８２１の低保磁力磁性材を用紙に熱転写する基本的な処理を説明する図である。
【図１５】図１０に示した印刷装置１１０の磁性タグ形成方法を示すフローチャートである。
【図１６】この発明に係わる磁性タグ形成装置および方法を印刷装置へ適用した図１および１０に示した実施例１、２とは他の実施例（実施例３）の要部の構成を示すブロック図である。
【図１７】図１６に示した印刷装置１２０の磁性タグ形成方法を示すフローチャートである。
【符号の説明】
【０１６９】
１０、１１、１２  印刷用紙
２０、２１、２２  制御部
３０  永久磁石
４０  印刷部
４１  画像処理部
４１１  色空間変換部
４１２  高保磁力磁性材量変換部
４１３  色補正部
４１４  階調補正部
４１５  描画部
４２    画像形成部
４２０Ｙ〜４２０Ｂ  露光装置
４２１Ｙ〜４２１Ｂ  帯電装置
４２３Ｙ〜４２３Ｂ  現像装置
４２４Ｙ〜４２４Ｂ  感光体
４２５Ｙ〜４２５Ｂ  １次転写ロール
４２６  従動ロール
４２７  ２次転写ロール
４２８  駆動ロール
４２９  中間転写体
４３０  定着装置
４３１  加熱ロール
４３２  加圧ロール    
５０ａ、５０ｂ  給紙トレイ
５１ａ、５１ｂ  給紙ローラ
６０ａ、６０ｂ  搬入ローラ
６１ａ、６１ｂ  搬出ローラ
７０  パソコン
８０    第１磁性タグ形成装置
１００、１１０、１２０  印刷装置
【図１】
2005041189.tif 000003
【図２】
2005041189.tif 000004
【図３】
2005041189.tif 000005
【図４】
2005041189.tif 000006
【図５】
2005041189.tif 000007
【図６】
2005041189.tif 000008
【図７】
2005041189.tif 000009
【図８】
2005041189.tif 000010
【図９】
2005041189.tif 000011
【図１０】
2005041189.tif 000012
【図１１】
2005041189.tif 000013
【図１２】
2005041189.tif 000014
【図１３】
2005041189.tif 000015
【図１４】
2005041189.tif 000016
【図１５】
2005041189.tif 000017
【図１６】
2005041189.tif 000018
【図１７】
2005041189.tif 000019